(57)【要約】【目的】  本発明は、水槽内に設けられる内部式濾過装置であって、水槽内の水を広範囲にわたり迅速に能率よく濾過することができ、また、濾材の交換が容易である。【構成】  台座Ａの上面と側面に、吸排水装置Ｂと内面濾過器Ｃがそれぞれ接続され、内面濾過器Ｃは、偏平な濾過フレーム３０に薄い板状の濾材４１が抜差可能に設けられ、濾材４１の平坦な外面は、その略全面が水槽Ｖ内に露出する。【選択図】      図２
2015195785.tif 000002
【特許請求の範囲】
【請求項１】
水槽（Ｖ）内のコーナー部に設置される台座（Ａ）と、この台座（Ａ）の上面に接続されて、水槽（Ｖ）内のコーナー部に設けられる吸排水装置（Ｂ）と、前記台座（Ａ）の側面に接続されて水槽（Ｖ）内の側面に沿って設けられる内面濾過器（Ｃ）とよりなり、
前記吸排水装置（Ｂ）は、ポンプ（Ｐ）の吸込口と水槽（Ｖ）内とを連通する吸水路（２８）と、前記ポンプ（Ｐ）の吐出口と水槽（Ｖ）内を連通する送水路（１９）とを備え、
前記内面濾過器（Ｃ）は、水槽（Ｖ）内の側面に沿って偏平に形成される濾過フレーム（３０）と、この濾過フレーム（３０）に抜差可能に設けられる薄い板状の濾材（４１）とを備え、この濾材（４１）の内面と前記濾過フレーム（３０）との間に前記吸水路（２８）に連通する濾過室（３２）が形成され、前記濾材（４１）の平坦な外面は、その略全面が水槽（Ｖ）内に直接露出していることを特徴とする、内部式濾過装置。
【請求項２】
前記内面濾過器（Ｃ）は、その複数個が、前記水槽（Ｖ）内の側面に沿って着脱可能に並列接続されることを特徴とする、前記請求項１記載の内部式濾過装置。
【請求項３】
前記濾材（４１）は、濾材縁取りフレーム（４０）により縁取られており、その濾材縁取りフレーム（４０）の下部が前記濾過フレーム（３０）に開閉可能に枢支連結されていることを特徴とする、前記請求項１または２記載の内部式濾過装置。
【請求項４】
前記吸排水装置（Ｂ）は、粗な濾材（２４）と密な濾材（２５）とを収容したケース本体（２０）を備え、前記ポンプ（Ｐ）の作動により、ケース本体（２０）内に吸入された水槽（Ｖ）内の水は、前記粗な濾材（２４）と前記密な濾材（２５）により濾過されることを特徴とする、前記請求項１、２または３記載の内部式濾過装置。
【請求項５】
前記板状の濾材（４１）は、硬質濾材（４１ａ）と、軟質濾材（４１ｂ）とを一体に積層してなることを特徴とする、前記請求項１、２、３または４記載の内部式濾過装置。
【発明の詳細な説明】
【技術分野】
【０００１】
本発明は、金魚、熱帯魚、海水魚等の観賞魚の飼育用水槽内に設けられる内部式濾過装置、特に、水槽内のコーナー部および側面にコンパクトに装着することができて濾過能率が高く、かつ濾材の交換作業を容易に行うことができるようにした、内部式濾過装置に関する。
【背景技術】
【０００２】
従来、水槽内で前記観賞魚を飼育、育成するために、濾過本体を水槽内のコーナー部に配置して水槽内の水を濾過するようにした、内部式濾過装置は公知である（たとえば、後記特許文献１参照）。
【先行技術文献】
【特許文献】
【０００３】
【特許文献１】特開２００４−５７０７１号公報
【発明の概要】
【発明が解決しようとする課題】
【０００４】
ところで、前記特許文献１に示される内部式濾過装置は、水槽内のコーナー部に設けられることから、水槽内で飼育される観賞魚の種類や数、水槽の大きさ、水槽内の水草の有無などによっては、所望の濾過能率が得られないことがあるという問題がある。
【０００５】
また、前記内部式濾過装置では、濾材が閉鎖状の濾過ケース内に収容されるので、定期的に交換の必要な濾材の交換作業が面倒であるという別の問題もある。
【０００６】
本発明は、かかる実情に鑑みてなされたもので、水槽内の水をその略全域にわたって迅速かつ能率よく濾過できるようにし、併せて濾材の交換作業が容易な新規な内部式濾過装置を提供することを目的とする。
【課題を解決するための手段】
【０００７】
前記目的達成のため、請求項１記載の発明は、水槽内のコーナー部に設置される台座と、この台座の上面に接続されて、水槽内のコーナー部に設けられる吸排水装置と、前記台座の側面に接続されて水槽内の側面に沿って設けられる内面濾過器とよりなり、
前記吸排水装置は、ポンプの吸込口と水槽内とを連通する吸水路と、前記ポンプの吐出口と水槽内を連通する送水路とを備え、
前記内面濾過器は、水槽内の側面に沿って偏平に形成される濾過フレームと、この濾過フレームに抜差可能に設けられる薄い板状の濾材とを備え、この濾材の内面と前記濾過フレームとの間に前記吸水路に連通する濾過室が形成され、前記濾材の平坦な外面は、その略全面が水槽内に直接露出していることを特徴としている。
【０００８】
前記目的達成のため、請求項２記載の発明は、前記請求項１記載のものにおいて、前記内面濾過器は、その複数個が、前記水槽内の側面に沿って着脱可能に並列接続されることを特徴としている。
【０００９】
前記目的達成のため、請求項３記載の発明は、前記請求項１、２記載のものにおいて、前記濾材は、濾材縁取りフレームにより縁取られており、その濾材縁取りフレームの下部が前記濾過フレームに開閉可能に枢支連結されていることを特徴としている。
【００１０】
前記目的達成のため、請求項４記載の発明は、前記請求項１、２または３記載のものにおいて、前記吸排水装置は、粗な濾材と密な濾材とを収容したケース本体を備え、前記ポンプの作動により、ケース本体内に吸入された水槽内の水は、前記粗な濾材と前記密な濾材により濾過されることを特徴としている。
【００１１】
前記目的達成のため、請求項５記載の発明は、前記請求項１、２、３または４記載のものにおいて、前記板状の濾材は、硬質濾材と、軟質濾材とを一体に積層してなることを特徴としている。
【発明の効果】
【００１２】
請求項１記載の発明によれば、吸排水装置と内面濾過器とを別体に形成してそれらを水槽内のコーナー部と内面とに分けて設けたので、濾過装置が水槽内の一箇所を広く占有することなく外観上の体裁を良くすることができ、薄い板状の濾材は広い濾過面積を確保して濾過能率を大幅に向上させることができる。また濾過装置は、台座に吸排水装置と内面濾過器とを接続して構成されるので、水槽内での組付性がよい。さらに背面濾過部は、板状の濾材の広い面積の濾過面が水槽内に直接露出しているので、その濾過面に、付着、繁殖する輪虫、ミジンコなどの微生物を、観賞魚が生き餌として食することができ、それによって濾材の目詰まりをしにくくすることができる。
【００１３】
請求項２記載の発明によれば、内面濾過器は、その複数個を水槽内の背面に沿って着脱可能に並列接続したので、水槽内での占有容積を少なくして濾過面積を容易に広げることができる。
【００１４】
請求項３記載の発明によれば、濾材は、濾材縁取りフレームにより縁取られており、その濾材縁取りフレームの下部が前記濾過フレームに開閉可能に枢支連結されているので、水槽内で濾材縁取りフレームを開き回動して、板状濾材の交換作業をし易くすることができる。
【００１５】
請求項４記載の発明によれば、吸排水装置は、粗な濾材と密な濾材とを収容したケース本体を備え、前記ポンプの作動により、ケース本体内に吸入された水槽内の水は、前記粗な濾材と前記密な濾材により濾過されるので、水槽内の広範囲の水を吸排水装置と内面濾過器とで濾過することができ、その濾過能率が一層高められる。
【００１６】
請求項５記載の発明によれば、板状の濾材は、硬質濾材と、軟質濾材とを一体に積層してなるので、薄く形成しながら、その保形性が高められる。
【図面の簡単な説明】
【００１７】
【図１】本発明に係る内部式濾過装置を水槽内に設置した状態を示す斜視図
【図２】図１の２−２線に沿う内部式濾過器の拡大正面図
【図３】図２の３−３線に沿う拡大断面図
【図４】図２の４−４線に沿う拡大断面図
【図５】図２の５−５線に沿う拡大断面図
【図６】図２の６−６線に沿う拡大断面図
【図７】図２の７−７線に沿う拡大断面図
【図８】図３の８−８線に沿う拡大断面図
【図９】図５の９−９線に沿う拡大断面図
【図１０】内面濾過器の斜視図
【図１１】内面濾過器の分解斜視図
【図１２】濾材の取出状態を示す図６と同じ断面図
【発明を実施するための形態】
【００１８】
以下、本発明の実施の形態を添付図面に基づいて説明する。
【００１９】
図１〜１２を参照して、本発明の実施形態について説明する。
【００２０】
内部式濾過装置は、水槽Ｖ内のコーナー部に設置される台座Ａと、この台座Ａの上面に着脱自在に接続される吸排水装置Ｂと、前記台座Ａの側面に着脱自在に接続される内面濾過器Ｃとより構成されている。
【００２１】
図４、５、８、９に示すように、前記台座Ａは、水槽Ｖ内のコーナー部の底面に隙間なく設置されるように、平面視で対向角部を面取りした三角形状の中空体により形成されており、この台座Ａの平面視直角状の背面３、３に、吸盤６、６が取り付けられ、それらの吸盤６、６により、台座Ａは水槽Ｖ内のコーナー部に着脱可能に取り付けられる。台座Ａの内部は吸水室７とされており、台座Ａの前面１の両側の左右側面２、２には、吸水室７に連通する流入口８ａ、８ｂが対照的に開口されている。一方の流入口８ａは、雄栓体９により、また他方の流入口８ｂは、雌栓体１０によりそれぞれ閉じられるようにされている。
【００２２】
図８、９に示すように、この実施形態では、一方の流入口８ａに、後述の内面濾過器Ｃが接続され、他方の流入口８ｂは、雌栓体１０により閉じられる。
【００２３】
なお、図８鎖線に示すように、雌栓体１０を外して他方の流入口８ｂに、内面濾過器Ｃを接続することが可能である。
【００２４】
台座Ａの上面４の中央部の基部側には流出口１５が開口され、この流出口１５には、ジョイント１７を介して後述する吸排水装置Ｂの底部吸込口２２が連通接続される（図９）。
【００２５】
また、台座Ａの上面の中央部には、他の流出口１６が開口され、この他の流出口１６は、この実施形態では栓体１８により閉じられている。
【００２６】
なお、この他の流出口１６は、この実施形態で使用する吸排水装置Ｂに代えてそれよりも容量の大きい他の吸排水装置（図示せず）の接続用のものである。
【００２７】
図１〜３に示すように、台座Ａ上に接続される吸排水装置Ｂは、三角柱状のケース本体２０の上部に水ポンプＰを収容した駆動部２１を接続して構成されている。ケース本体２０の背面には、複数に吸盤２３が取り付けられており、これらの吸盤２３により、吸排水装置Ｂは水槽Ｖ内にコーナー面に着脱可能に取り付けられる。ケース本体２０内には、その下部に粗な濾材２４が、その上部に密な濾材２５が収容されており、また、ケース本体２０の前面には、粗な濾材２４に対面して第１の吸込口２６が、また密な濾材２５に対面して第２の吸込口２７が開口されている。駆動部２１内の水ポンプＰの吸込口は、ケース本体２０内の粗、密な濾材２４、２５の内側に設けた吸水路２８に連通され、また、水ポンプＰの吐出口は、駆動部２１の上部に設けた送水路１９を通して水槽Ｖ内に連通されている。ケース本体２０内の中央部には、前記吸水路２８が縦通しており、この吸水路２８の下端は、ケース本体２０下端の底部吸込口２２を介して台座Ａ内の吸水室７に連通され、また吸水路２８の上端は、水ポンプＰの吸込口に連通されている。したがって、水ポンプＰの駆動によれば、台座Ａの吸水室７内の水は吸水路２８を通って吸い上げられ、送水路１９より水槽Ｖ内に放散される。また。水ポンプＰの駆動により、水槽Ｖ内の水は、第１および第２の吸込口２６、２７より、粗な濾材２４および密な濾材２５を通して濾過されたのち、送風路２８を通して水槽Ｖ内に放散するようにされている。
【００２８】
なお、吸排水装置Ｂ内には、密な濾材２５と共に、あるいは密な濾材２５に代えて活性炭、麦飯石などの浄化材を収容した浄化容器を収容してもよく、この場合、浄化容器内には、第２の吸込口２７を通った水が流通するようにされる。
【００２９】
つぎに、前記吸排水装置Ｂにより作動される内面濾過器Ｃの構造について説明する。
【００３０】
図１、２、４、５に示すように、この実施形態では、２つの内面濾過器Ｃ（１）、Ｃ（２）を並列接続される（２つの内面濾過器Ｃには、添字（１）、（２）を付す）。
【００３１】
図１０，１１に最も明瞭に示すように、各内面濾過器Ｃは、濾過フレーム３０に、板状の濾材４１を縁取りする濾材縁取りフレーム４０を重ね合わせて偏平な板状に形成され、その開口上面を蓋体２９により開閉可能に閉じるように構成される。濾過フレーム３０は、縦長の板材により長方形に形成されており、その内面（濾材４１と対面する面）と、濾材縁取りフレーム４０により縁取りされる板状の濾材４１とで偏平な濾過室３２が形成される。濾過フレーム３０の内面には濾過室３２を仕切る複数の突条３１が横方向に間隔をあけて突設されている。また、濾過フレーム３０の下部には、その幅方向に沿って前記濾過室３２に連通する水通路３３が形成されており、この水通路３３の両端部には、雌、雄ジョイント３４、３５が形成されている。そして、これらのジョイント３４、３５は、他の濾過フレーム３０の水通路３３に形成した、雄、雌ジョイント３４、３５あるいは前記台座Ａに形成した流入口８ａ、８ｂに連通接続され（図５参照）、濾過室３２の上部は水槽Ｖ内に連通されている。また、濾過フレーム３０の背面には、一対の吸盤３７が取り付けられており、これらの吸盤３７により濾過フレーム３０は、水槽Ｖの内壁面に密に接合される。
【００３２】
前記濾材縁取りフレーム４０は、板状の濾材４１を抜差自在に保持すべく、断面Ｌ字状の左右側部フレーム４２、４３と、それらの上、下部を結合する上、下部フレー４４、４５とより額縁状に形成されている。濾材縁取りフレーム４０の下端両側にはヒンジ孔４７が形成され、これらのヒンジ孔４７は、濾過フレーム３０の下端両側に設けたヒンジピン３８に回動可能に連結されて、濾材縁取りフレーム４０は、濾過フレーム３０に対して回動できるようにされている（図１２参照）。
【００３３】
濾過フレーム３０の左右両側の下部には、一対のかぎ状の係合突起３９が一体に突設され、一方、濾材縁取りフレーム４０の左右両側部には、前記係合突起３９と係合される係止凹部４６が形成され、前記係合突起３９と、係止凹部４６には、相互に係合可能な係合片３９ａと係止片４６ａとが形成される。図１２に示すように、濾材縁取りフレーム４０が濾過フレーム３０に対してヒンジピン３８回りに外方（水槽Ｖ内の内方）に回動したとき、前記係合片３９ａと係止片４６ａとが相互に係合して、濾材縁取りフレーム４０の濾過フレーム３０に対する回動角度が規制されて、後述する板状の濾材４１の抜き取り、あるいは差し込み操作をし易くしている。
【００３４】
板状の濾材４１は、上下方向に長い方形状に形成されており、厚さ約１mmの硬質濾材４１ａと、厚さ約６mmの軟質濾材４１ｂとを一体に重ね合わせて構成されている。濾材４１の上縁には、その全幅に亘って断面コ字状の縁枠４８が固定されている。縁枠４８の中央部には、把手４９が一体に設けられる。板状の濾材４１は、その硬質濾材４１ａが表側（水槽Ｖ内に対面する側）に対面し、その軟質濾材４１ｂが裏側（水槽Ｖの内壁面に対面する側）に対面するように、前記濾材縁取りフレーム４０内に抜差自在に差し込み保持される。
【００３５】
内面濾過器Ｃの左右外側面、すなわち濾材縁取りフレーム４０の左右外側面には、並列される２つの内面濾過器Ｃ、Ｃを並列接続するための雌、雄接続片５０、５１が設けられる。
【００３６】
本発明の実施形態では、図１〜５に示すように、２つ（第１、第２）の内面濾過器Ｃ（１）、Ｃ（２）を並列接続して、水槽Ｖ内の内側面に固定する。この場合、第１、第２の内面濾過器Ｃ（１）、Ｃ（２）の上部は水槽Ｖ内の水面よりも上方に突出させる。
【００３７】
台座Ａの一側面２の一方の流入口８ａには、第１の内面濾過器Ｃ（１）の一方のジョイント（雌ジョイント）３４が接続され、また第１の内面濾過器Ｃ（１）の他方のジョイント（雌ジョイント）３５に、第２の内面濾過器Ｃ（２）の一方のジョイント（雄ジョイント）３４が接続され、第１、第２の内面濾過器Ｃ（１）、Ｃ（２）の側面同士は、雌、雄接続片５０、５１を介して密に接続され、また、それらの裏面は、水槽Ｖ内の内側面に吸盤３７によりそれぞれ接合される。第２の内面濾過器Ｃ（２）の水通路３３の外端は、栓体９により閉じられる。
【００３８】
いま、内部式濾過装置の運転により、吸排水装置Ｂの水ポンプＰが駆動されると、図２、３矢印ｘ、ｙに示すように、水槽Ｖ内の水は、吸排気装置Ｂ内の粗な濾材２４および密な濾材２５により濾過される外に、本発明にかかる、内面濾過器Ｃ（１）、Ｃ（２）により、水槽Ｖ内の中央領域の水が広範囲に亘って直接濾過される。すなわち、水ポンプＰの作動によれば、吸排水装置Ｂの底面に開口した底部吸込口２２を介して２つ（第１、第２）の内面濾過装置Ｃ（１）、Ｃ（２）下部の水通路３３、３３には吸水力が作用する。これにより、水槽Ｖ内の水は、図２〜４、７矢印ａに示すように、濾過面の略全面が水槽Ｖ内に露出する板状の濾材４１を通して濾過されたのち、図２、３、９矢印ｂ、ｃに示すように、濾過室３２、水通路３３を通して吸排水装置Ｂ内に吸引され、該装置Ｂ内の吸水路２８を通り、水ポンプＰの吐出口より送水路１９を経て水槽Ｖ内に放散される。
【００３９】
しかして、内面濾過装置Ｃ（１）、Ｃ（２）は、水槽Ｖ内の内壁面に沿って広範囲に、しかもその内壁面の厚さ方向に薄く配設されるので、水槽Ｖ内の水を板状の濾材４１の広い濾過面を通して濾過して、高い濾過能率が確保することができ、しかも、内面濾過装置Ｃ（１）、Ｃ（２）は、水槽Ｖ内の一部分を局部的に占有することがなく、これが水槽Ｖ内の観賞魚の観賞の邪魔になることがなく、外観上の体裁を良くして、商品価値を高めることができる。また、水槽Ｖ内に直接露出する濾過面には、輪虫、ミジンコなどの微生物が付着、繁殖するが、その微生物を観賞魚が生餌として直接食することができ、また、それによって濾材４１の目詰まりもしにくくなる。さらに、硬、軟質の２層よりなる濾材４１は、薄く形成したにも拘らず保形性がよく、また、硬質濾材４１ａが、水槽Ｖ内に露出しているので、濾材４１の傷つきが抑えられる。
【００４０】
ところで、前記濾材４１は、塵埃、魚糞、残餌などの汚物の付着、堆積による汚損で定期的に交換する必要があるが、かかる場合には、図１２に示すように、蓋体２９を外したのち、濾材縁取りフレーム４０を、濾材４１と共に濾過フレーム３０に対して外方に回動して、濾材４１を引き出し、または差し込むことにより、濾材の交換作業を容易に行うことができる。
【００４１】
以上、実施形態について説明したが、本発明はその実施形態に限定されることなく、本発明の範囲内で種々の他の実施形態が可能である。
【００４２】
たとえば、前記実施形態では、台座Ａは容量の異なる２つの吸排水装置Ｂを選択的に接続できるように構成されるが、台座Ａは一つの吸排水装置Ｂを接続できるように構成してもよい。
【００４３】
また、前記実施形態では、台座Ａに２つの内面濾過器Ｃを水槽Ｖ内の内面に沿って接続するように構成されるが、台座Ａには、一つあるいは３つ以上の内面濾過器Ｃを接続するようにしてもよい。また、台座Ａの他の流入口８ｂに、一つあるいは複数の内面濾過器Ｃを接続するようにしてもよい。
【符号の説明】
【００４４】
１９・・・・・・・送水路
２０・・・・・・・ケース本体
２４・・・・・・・粗な濾材
２５・・・・・・・密な濾材
２８・・・・・・・吸水パイプ
３０・・・・・・・濾過フレーム
４０・・・・・・・濾材縁取りフレーム
４１・・・・・・・濾材
４１ａ・・・・・・硬質濾材
４１ｂ・・・・・・軟質濾材
Ａ・・・・・・・台座
Ｂ・・・・・・・吸排水装置
Ｃ・・・・・・・内面濾過器
Ｐ・・・・・・・・ポンプ（水ポンプ）
Ｖ・・・・・・・・水槽
【図１】
2015195785.tif 000003
【図２】
2015195785.tif 000004
【図３】
2015195785.tif 000005
【図４】
2015195785.tif 000006
【図５】
2015195785.tif 000007
【図６】
2015195785.tif 000008
【図７】
2015195785.tif 000009
【図８】
2015195785.tif 000010
【図９】
2015195785.tif 000011
【図１０】
2015195785.tif 000012
【図１１】
2015195785.tif 000013
【図１２】
2015195785.tif 000014